(57)【要約】【課題】マスクを顔に装着した際、マスクを顔にしっかり密着をさせなくてもマスクと口元に多くの空間を確保することができることから、口元がマスクに触れてしまう不快感を解消することができ、口を動かす度にマスクがずれて動いてしまうことを防ぐことができることを目的とする。【解決手段】顔面の口元を覆うマスク本体と、前記マスク本体の左右両側に設けられた耳に係合される耳掛け部とからなるマスクであって、前記マスク本体の上下方向に折り目が生じるように折り畳んだ複数の折りひだを有していることを特徴とするマスク。【選択図】    図１
2007136243.tif 000002
【特許請求の範囲】
【請求項１】
顔面の口元を覆うマスク本体と、前記マスク本体の左右両側に設けられた耳に係合される耳掛け部とからなるマスクであって、前記マスク本体の上下方向に折り目が生じるように折り畳んだ複数の折りひだを有していることを特徴とするマスク。
【請求項２】
前記マスク本体について、前記左右両側の縁が重なるように二つ折りの状態にしてできる中心線の中央部が、前記中心線の上端及び下端に対して、前方に出ているように形成されていることを特徴とする請求項１記載のマスク。
【請求項３】
前記マスク本体について、前記左右両側の縁が重なるように二つ折りの状態にしてできる中心線の中央部から前記マスク本体の上縁及び下縁に向けて縫い合わせ部を有していることで、前記中心線の前記中央部が前記縫い合わせ部の上端及び下端に対して、前方に出ているように形成されていることを特徴とする請求項１記載のマスク。
【請求項４】
前記マスク本体の上部について、左右方向に沿って曲げ変形可能となるように調整された形状維持部材を有していることを特徴とする請求項１記載のマスク。
【請求項５】
前記マスク本体の上部について、左右方向に沿って弾力性のある弾力性部材を有していることを特徴とする請求項１記載のマスク。
【請求項６】
前記マスク本体について、上下方向に沿って曲げ変形可能となるように調整された形状維持部材を有していることを特徴とする請求項１記載のマスク。
【請求項７】
前記マスク本体の内面について、上下方向に保持材を有し、保持材の上端及び下端が、前記マスク本体の前記内面と一体的に形成されていることを特徴とする請求項１記載のマスク。
【発明の詳細な説明】
【技術分野】
【０００１】
本発明は、マスク着用中の息苦しさと不快感を軽減するマスクに関するものである。
【背景技術】
【０００２】
従来のマスクは、立体型マスクと、長手方向に折り目が付いているマスクとが存在する。
立体型マスクは、左右両端を重ね合わせて畳んだ中心線が曲線を描くことで口元に一定の空間を確保することを可能とし、口元がマスクに当たりにくい構造になっていた（特許文献１）。
一方、長手方向と平行に折り目が付いているマスクは、マスクを装着する際、上下方向に広げることでマスクを顔に装着することができるため、顔の形に限らず顔の広範囲にマスクを装着することができる構造になっていた（特許文献２）。
【特許文献１】特開平９−１４９９４５広報
【特許文献２】特開平１１−９９２１６広報
【発明の開示】
【発明が解決しようとする課題】
【０００３】
そのために、次のような問題点があった。
立体型マスクは、マスクを顔に装着する際、余分な隙間が生じないように、マスクが顔の形に合うようにマスクの形状を固定することで、マスクが顔にしっかりと密着している必要があった。そのため、マスクの形状が固定されているため、口元とマスクとの間に空間を一定量までしか確保することができず、口元及び鼻の形状によってはマスクが顔にフィットしない場合があった。また、マスクが口元及び鼻全体と密着している必要があるため、口を動かすたびにマスク全体が上下にずれ動いてしまうことが多かった。
一方、長手方向と平行に折り目が付いているマスクは、マスクを装着する際、上下方向にマスクを広げることで顔にフィットさせているため、鼻の横に隙間が生じやすく、口元とマスクとの間に空間を確保することが困難であった。また、マスクを装着するたびにマスク全体を顔に当て、上下方向にマスクを広げた上で、紐を耳に掛けなければいけない煩わしさがあった。
本発明は、以上の問題点を解決するためになされたものである。
【課題を解決するための手段】
【０００４】
第１の発明（請求項１記載の発明）は、顔面の口元を覆うマスク本体と、前記マスク本体の左右両側に設けられた耳に係合される耳掛け部とからなるマスクであって、前記マスク本体の上下方向に折り目が生じるように折り畳んだ複数の折りひだを有している。以上を特徴とするマスクである。
【０００５】
第２の発明（請求項２記載の発明）は、上記第１の発明において、前記マスク本体について、前記左右両側の縁が重なるように二つ折りの状態にしてできる中心線の中央部が、前記中心線の上端及び下端に対して、前方に出ているように形成されている。以上を特徴とするマスクである。
【０００６】
第３の発明（請求項３記載の発明）は、上記第１の発明において、前記マスク本体について、前記左右両側の縁が重なるように二つ折りの状態にしてできる中心線の中央部から前記マスク本体の上縁及び下縁に向けて縫い合わせ部を有していることで、前記中心線の前記中央部が前記縫い合わせ部の上端及び下端に対して、前方に出ているように形成されている。以上を特徴とするマスクである。
【０００７】
第４の発明（請求項４記載の発明）は、上記第１の発明において、前記マスク本体の上部について、左右方向に沿って曲げ変形可能となるように調整された形状維持部材を有している。以上を特徴とするマスクである。
【０００８】
第５の発明（請求項５記載の発明）は、上記第１の発明において、前記マスク本体の上部について、左右方向に沿って弾力性のある弾力性部材を有している。以上を特徴とするマスクである。
【０００９】
第６の発明（請求項６記載の発明）は、上記第１の発明において、前記マスク本体について、上下方向に沿って曲げ変形可能となるように調整された形状維持部材を有している。以上を特徴とするマスクである。
【００１０】
第７の発明（請求項７記載の発明）は、上記第１の発明において、前記マスク本体の内面について、上下方向に保持材を有し、保持材の上端及び下端が、前記マスク本体の前記内面と一体的に形成されている。以上を特徴とするマスクである。
【発明の効果】
【００１１】
本発明のマスクは、マスクを顔に装着した際、マスクを顔にしっかり密着をさせなくてもマスクと口元に多くの空間を確保することができることから、口元がマスクに触れてしまう不快感を解消することができ、口を動かす度にマスクがずれて動いてしまうことを防ぐことができる。
また、マスクの内面にガーゼ等を固定することができることから、マスクを装着している時に花粉症等によるくしゃみや咳でマスクの内面が汚れてしまうことを防ぎ、ガーゼ等を取り替えることでマスクを長時間清潔な状態に保つことができる。なお、マスクの内側にガーゼ等を固定しているため、ガーゼ等が直接口元に張り付いてしまうことを防ぐことができる。
【発明を実施するための最良の形態】
【００１２】
以下、本発明の実施の形態を説明する。
【実施例１】
【００１３】
（第１の実施形態）図１〜図６に、本発明の第１の実施形態によるマスク１０１の構成例を示す。
【００１４】
マスク１０１は、図１に示すように、顔面の口元を覆うマスク本体１０２と、マスク本体１０２の左右両側に設けられた耳に係合される耳掛け部１０３とから形成されている。
【００１５】
ただし、耳掛け部１０３について、図２に示すように、紐の形状に限らず耳に係合できるように伸縮性のある素材で形成されていれば、形状等が特に限定されるものではない。
【００１６】
マスク本体１０２について、図１に示すように、マスク本体１０２の上下方向に折り目が生じるように折り畳んだ複数の折りひだ１０４を有している。
マスク本体１０２に複数の折れひだ１０４を形成することで、図３に示すようにマスク１０１を装着する際に、耳掛け部１０３を左右に引っ張ることで、マスク本体１０２が左右に引き伸ばされ前方に膨らむことにより、口元とマスク本体１０２との間に空間を確保することができる。
ただし、折り重ねられたマスク本体上部１０５及びマスク本体下部１０６について、縫い付け部１１６により一体化されているため、折りひだ１０４は拡がらない。
マスク本体上部１０５及びマスク本体下部１０６以外では、一体化されていないため、折りひだ１０４を拡げることができる。
また、折れひだ１０４について、上下方向に折り目が生じるように折り畳んであれば、形成する本数及び形状は特に限定されるものではない。
図５に示すように、折れひだ１０４が曲線を描いているように形成されていてもよい。
【００１７】
マスク本体１０２について、図４に示すように、左右両側の縁が重なるように二つ折りの状態にしてできる中心線１０９の中心線中央部１１１が、中心線上端１１０及び中心線下端１１２に対して、前方に出ているように形成されている。
そのため、図３のようにマスク１０１を装着した際に、鼻から口元にかけて、マスク本体１０２の中心線中央部１１１が前方に出ることにより、口元とマスク本体１０２との間に空間を確保することができ、マスク本体１０２が口元に触れてしまう不快感を解消することができる。
ただし、マスク本体１０２について、中心線１０９の中心線中央部１１１が、中心線上端１１０及び中心線下端１１２に対して、前方に出ているように形成されていれば、形状等が特に限定されるものではない。
なお、図６に示すように、中心線１０９が直線を描く形状であってもよい。
【００１８】
また、マスク本体上部１０５について、図４に示すように、左右方向に沿って曲げ変形可能となるように調整された形状維持部材１１７を有していることで、マスク１０１を装着した際に、形状維持部材１１７を鼻の形状に合わせて曲げることで、マスク本体１０２と鼻の間に隙間が生じることを防ぐことができる。
【実施例２】
【００１９】
（第２の実施形態）図７に、本発明の第２の実施形態によるマスク２０１の構成例を示す。
【００２０】
マスク２０１は、図７に示すように、顔面の口元を覆うマスク本体２０２と、マスク本体２０２の左右両側に設けられた耳に係合される耳掛け部２０３とから形成されている。
【００２１】
ただし、耳掛け部２０３について、紐の形状に限らず耳に係合できるように伸縮性のある素材で形成されていれば、形状等が特に限定されるものではない。
【００２２】
マスク本体２０２について、マスク本体２０２の上下方向に折り目が生じるように折り畳んだ複数の折りひだ２０４を有している。
マスク本体２０２に複数の折れひだ２０４を形成することで、マスク２０１を装着する際に、耳掛け部２０３を左右に引っ張ることで、マスク本体２０２が左右に引き伸ばされ前方に膨らむことにより、口元とマスク本体２０２との間に空間を確保することができる。
ただし、折り重ねられたマスク本体上部２０５及びマスク本体下部２０６について、縫い付け部２１６により一体化されているため、折りひだ２０４は拡がらない。
マスク本体上部２０５及びマスク本体下部２０６以外では、一体化されていないため、折りひだ２０４を拡げることができる。
また、折れひだ２０４について、上下方向に折り目が生じるように折り畳んであれば、形成する本数及び形状は特に限定されるものではない。
【００２３】
マスク本体２０２について、左右両側の縁が重なるように二つ折りの状態にしてできる中心線中央部２１１からマスク本体上縁２０７及びマスク本体下縁２０８に向かって縫い合わせ部２１３を有していることで、中心線中央部２１１が縫い合わせ部上端２１４及び縫い合わせ部下端２１５に対して、前方に出ているように形成されている。
そのため、マスク２０１を装着した際に、鼻から口元にかけて、マスク本体２０２の中心線中央部２１１が前方に出ることにより、口元とマスク本体２０２との間に空間を確保することができ、マスク本体２０２が口元に触れてしまう不快感を解消することができる。
ただし、マスク本体２０２について、中心線中央部２１１が縫い合わせ部上端２１４及び縫い合わせ部下端２１５に対して、前方に出ているように形成されていれば、形状等が特に限定されるものではない。
【００２４】
また、マスク本体上部２０５について、左右方向に沿って曲げ変形可能となるように調整された形状維持部材２１７を有していることで、マスク２０１を装着した際に、形状維持部材２１７を鼻の形状に合わせて曲げることで、マスク本体２０２と鼻の間に隙間が生じることを防ぐことができる。
【実施例３】
【００２５】
（第３の実施形態）図８及び図９に、本発明の第３の実施形態によるマスク３０１の構成例を示す。
【００２６】
マスク３０１について、図８に示すように、第１の実施形態によるマスク１０１に、上下方向に沿って曲げ変形可能となるように調整された形状維持部材３１７を形成することで、マスク３０１を装着した際に、鼻から口元に沿って一定の形状を保つことができるため、形状維持部材３１７を前方へ曲線を描くように曲げることで、口元とマスク本体３０２との間に更に多くの空間を確保することができる。
ただし、形状維持部材３１７について、本数や形成する位置については特に限定するものではなく、図９のように、形状維持部材３１７を複数本形成してもよい。
【実施例４】
【００２７】
（第４の実施形態）図１０に、本発明の第４の実施形態によるマスク４０１の構成例を示す。
【００２８】
マスク４０１について、図１０に示すように、第１の実施形態によるマスク１０１に形成された形状維持部材１１７の代わりに、マスク本体内面４２２におけるマスク本体上部４０５について、左右方向に沿って弾力性のある弾力性部材４１８を形成することで、マスク４０１を装着した際に、マスク本体４０２と鼻との間に隙間が生じることを、より効果的に防ぐことができる。
ただし、弾力性部材４１８について、弾力性のある素材で形成されていれば、形状等が特に限定されるものではない。
【実施例５】
【００２９】
（第５の実施形態）図１１及び図１２に、本発明の第５の実施形態によるマスク５０１の構成例を示す。
【００３０】
マスク５０１について、図１１に示すように、第１の実施形態によるマスク１０１に、マスク本体内面５２２の上下方向に保持材５１９を有し、保持材上端５２０及び保持材下端５２１がマスク本体内面５２２と一体的に形成されている。
これにより、図１２に示すように、マスク本体５０２と保持材５１９との隙間にガーゼ５２３を挟み固定することで、マスク本体内面５２２が汚れることを防ぐことができ、直接ガーゼ５２３が口元に付いてしまう不快感を解消することができる。
なお、保持材５１９について、形状維持することができる素材で形成すれば、より効果的にマスク本体５０２と保持材５１９との隙間にガーゼ等を挟み固定することができる。
【実施例６】
【００３１】
（第６の実施形態）図１３に、本発明の第６の実施形態によるマスク６０１の構成例を示す。
【００３２】
マスク６０１は、図１３に示すように、顔面の口元を覆うマスク本体６０２と、マスク本体６０２の左右両側に設けられた耳に係合される耳掛け部６０３とから形成されている。
【００３３】
ただし、耳掛け部６０３について、紐の形状に限らず耳に係合できるように伸縮性のある素材で形成されていれば、形状等が特に限定されるものではない。
【００３４】
マスク本体６０２について、マスク本体６０２の上下方向に折り目が生じるように折り畳んだ複数の折りひだ６０４を有している。
マスク本体６０２に複数の折れひだ６０４を形成することで、マスク６０１を装着する際に、耳掛け部６０３を左右に引っ張ることで、マスク本体６０２が左右に引き伸ばされ前方に膨らむことにより、口元とマスク本体６０２との間に空間を確保することができる。
ただし、折り重ねられたマスク本体上部６０５及びマスク本体下部６０６について、縫い付け部６１６により一体化されているため、折りひだ６０４は拡がらない。
マスク本体上部６０５及びマスク本体下部６０６以外では、一体化されていないため、折りひだ６０４を拡げることができる。
また、折れひだ６０４について、上下方向に折り目が生じるように折り畳んであれば、形成する本数及び形状は特に限定されるものではない。
【実施例７】
【００３５】
（第７の実施形態）図１４に、本発明の第７の実施形態によるマスク７０１の構成例を示す。
【００３６】
マスク７０１について、図１４に示すように、第６の実施形態によるマスク６０１に、マスク本体上部７０５の左右方向に沿って曲げ変形可能となるように調整された形状維持部材７１７を形成している。
これにより、マスク７０１を装着した際に、形状維持部材７１７を鼻の形状に合わせて曲げることで、マスク本体７０２と鼻の間に隙間が生じることを防ぐことができる。
なお、マスク７０１について、上下方向に沿って曲げ変形可能となるように調整された形状維持部材７１７を形成することで、マスク７０１を装着した際に、鼻から口元に沿って一定の形状を保つことができるため、形状維持部材７１７を前方へ曲線を描くように曲げることで、口元とマスク本体７０２との間に更に多くの空間を確保することができる。
【図面の簡単な説明】
【００３７】
【図１】本発明の第１の実施形態の一例を示すマスク１０１の斜視図である。
【図２】本発明の第１の実施形態の他の一例を示すマスク１０１の斜視図である。
【図３】図１のマスク１０１を装着した状態を示す側面図である。
【図４】本発明の第１の実施形態の一例を示すマスク１０１の側面図である。
【図５】本発明の第１の実施形態の他の一例を示すマスク１０１の側面図である。
【図６】本発明の第１の実施形態のさらに他の一例を示すマスク１０１の側面図である。
【図７】本発明の第２の実施形態の一例を示すマスク２０１の側面図である。
【図８】本発明の第３の実施形態の一例を示すマスク３０１の側面図である。
【図９】本発明の第３の実施形態の他の一例を示すマスク３０１の側面図である。
【図１０】本発明の第４の実施形態の一例を示すマスク４０１の内面が見えるように開いた状態を示す正面図である。
【図１１】本発明の第５の実施形態の一例を示すマスク５０１の内面が見えるように開いた状態を示す正面図である。
【図１２】図１１のマスク５０１の内面にガーゼを挟めた状態を示す正面図である。
【図１３】本発明の第６の実施形態の一例を示すマスク６０１の正面図である。
【図１４】本発明の第７の実施形態の一例を示すマスク７０１の正面図である。
【符号の説明】
【００３８】
１０１、２０１、３０１、４０１、５０１、６０１、７０１    マスク
１０２、２０２、３０２、４０２、５０２、６０２、７０２    マスク本体
１０３、２０３、６０３    耳掛け部
１０４、２０４、６０４    折りひだ
１０５、２０５、４０５、６０５、７０５    マスク本体上部
１０６、２０６、６０６    マスク本体下部
２０７            マスク本体上縁
２０８            マスク本体下縁
１０９            中心線
１１０            中心線上端
１１１、２１１    中心線中央部
１１２            中心線下端
２１３            縫い合わせ部
２１４            縫い合わせ部上端
２１５            縫い合わせ部下端
１１６、２１６、６１６            縫い付け部
１１７、２１７、３１７、７１７    形状維持部材
４１８            弾力性部材
５１９            保持材
５２０            保持材上端
５２１            保持材下端
４２２、５２２    マスク本体内面
５２３            ガーゼ
【図１】
2007136243.tif 000003
【図２】
2007136243.tif 000004
【図３】
2007136243.tif 000005
【図４】
2007136243.tif 000006
【図５】
2007136243.tif 000007
【図６】
2007136243.tif 000008
【図７】
2007136243.tif 000009
【図８】
2007136243.tif 000010
【図９】
2007136243.tif 000011
【図１０】
2007136243.tif 000012
【図１１】
2007136243.tif 000013
【図１２】
2007136243.tif 000014
【図１３】
2007136243.tif 000015
【図１４】
2007136243.tif 000016